(57)【要約】【課題】地震などの発生による壁面収納装置の転倒を防止しながら、広い収納スペースを確保し、映像表示装置の配線の露出防止及び容易化を図り、快適に映像表示装置の視聴ができるようにする【解決手段】壁面収納装置１は、建物内の壁面２に固定され、表側に開口する開口部１３を有する箱状の収納本体５と、収納本体５に丁番１５の回動軸回りに回動可能に取り付けられ、開口部１３の少なくとも一部を開閉する扉部１６とを備え、扉部１６は、表側に薄型テレビＴを扉部の外表面に取り付け可能な取付部１７を有する。【選択図】図１
2020043946.tif 000002
【特許請求の範囲】
【請求項１】
建物内の壁面に固定され、表側に開口する開口部を有する箱状の収納本体と、
前記収納本体に回動軸回りに回動可能に取り付けられ、前記開口部の少なくとも一部を開閉する扉部と、
を備え、
前記扉部の表面に映像表示装置が取り付けられていることを特徴とする壁面収納装置。
【請求項２】
請求項１において、
前記扉部は、前記映像表示装置を扉部の外表面に取り付け可能な取付部を有することを特徴とする壁面収納装置。
【請求項３】
請求項１又は２において、
前記映像表示装置の配線が前記収納本体内に収納可能であることを特徴とする壁面収納装置。
【請求項４】
請求項１〜３のいずれか１つにおいて、
前記収納本体は、接着剤又は締結部材の少なくとも一方により壁面に固定されていることを特徴とする壁面収納装置。
【請求項５】
請求項２〜４のいずれか１つにおいて、
前記扉部の前記取付部は、前記映像表示装置を壁面に取り付けるために用いられる壁面設置部材を取付可能であることを特徴とする壁面収納装置。
【請求項６】
請求項１〜５のいずれか１つにおいて、
前記扉部には、前記映像表示装置の配線を前記収納本体内に引き込み可能な配線引込口が形成されていることを特徴とする壁面収納装置。
【請求項７】
請求項１〜６のいずれか１つにおいて、
前記扉部には、前記映像表示装置に接続される接続機器を収納可能な機器収納部が形成されていることを特徴とする壁面収納装置。
【請求項８】
請求項６において、
前記収納本体の内部には、前記映像表示装置に接続される接続機器を収納可能な機器収納部が形成され、
前記配線引込口は、前記扉部の回動軸側の端部に形成されていることを特徴とする壁面収納装置。
【請求項９】
請求項１〜８のいずれか１つにおいて、
前記映像表示装置は薄型テレビであることを特徴とする壁面収納装置。
【発明の詳細な説明】
【技術分野】
【０００１】
本発明は、映像表示装置を壁掛け状態で取り付け可能な壁面収納装置に関するものである。
【背景技術】
【０００２】
近年、テレビやディスプレイ等の映像表示装置として、その薄型化により、壁面に設置可能なものが存在する。このような映像表示装置を壁面に設置する場合には、壁面設置部材を用いて映像表示装置を壁面に設置することが一般的に行われる。しかし、一般的な壁面設置部材は、映像表示装置の配線を隠すような構成を備えていないため、壁面設置部材により映像表示装置を壁面設置した場合には、映像表示装置の配線が露出してしまい、美観を損ねてしまうことがあった。また、一般的な壁面設置部材には、収納スペースが考慮されていなかった。
【０００３】
そこで、従来、特許文献１〜３に示されるように、映像表示装置を壁掛け状態で設置することができ、設置された映像表示装置の配線を隠しつつ、映像表示装置の周囲に収納スペースが設けられた壁面収納ユニットが知られている。例えば、特許文献１に示されるものは、壁面に設置され、前面に収納物を出し入れするための開口が設けられた筐体と、前記筐体の奥行きよりも長いアームと、該アームの先端に設けられて薄型テレビを取り付け可能なディスプレイ取付部と、前記筐体の前面において左右に移動して前記開口を開閉するスライド扉と、を備える。この壁面収納ユニットでは、薄型テレビはアームの先端に壁掛け状態で設置される。また、スライド扉の突き合せ部分に薄型テレビ壁掛け金具のアームが通る開口部が形成されており、スライド扉で筐体の開口を閉塞することによって、薄型テレビに接続された各種配線などが表面から視認されないように隠される。また、薄型テレビの設置部分の裏側を収納として利用することができる。
【先行技術文献】
【特許文献】
【０００４】
【特許文献１】特開２０１３−５８３１号公報
【特許文献２】特開２００８−２５２６８７号公報
【特許文献３】特開２００７−８２８５２号公報
【発明の概要】
【発明が解決しようとする課題】
【０００５】
しかし、特許文献１では、薄型テレビ壁掛け金具のみで壁面収納ユニット全体を壁面に設置するため、設置場所が限定される虞がある。また、筐体の奥行きが浅いため、薄型テレビの配線が困難となる可能性がある。
【０００６】
一方、特許文献２の薄型ＴＶ用ラックは、キャビネットの下に設けられたキャスターにより移動自在に構成されているため、設置場所が限定されない。また、キャスターによりラック全体を移動できるため、薄型テレビへの配線も容易に行うことができる。
【０００７】
しかし、薄型ＴＶ用ラックを壁面への固定できないため、地震等が発生したときに全体が倒れる虞がある。また、収納部が大きくしすぎると薄型ＴＶ用ラックを移動できなくなるため、広い収納スペースを確保することができない。
【０００８】
さらに、特許文献３のラックを用いることで、パーテーションを変更することにより広い収納スペースを確保することができる。また、回転軸を回転させて、薄型テレビを見やすい角度に調節することができる。
【０００９】
しかし、この構成では、転倒防止のためにラックを壁面に固定すると、薄型テレビの調節可能な角度が限定される。
【００１０】
本発明は斯かる点に鑑みてなされたものであり、その目的は、地震などの発生による壁面収納装置の転倒を防止しながら、広い収納スペースを確保し、テレビ等の映像表示装置の配線の露出防止及び容易化を図りつつ、快適に映像表示装置の視聴ができるようにすることにある。
【課題を解決するための手段】
【００１１】
上記の目的を達成するために、本発明では、収納本体の開口部を開閉する扉部に、映像表示装置を取り付けることとした。
【００１２】
具体的には、第１の発明では、建物内の壁面に固定され、表側に開口する開口部を有する箱状の収納本体と、前記収納本体に回動軸回りに回動可能に取り付けられ、前記開口部の少なくとも一部を開閉する扉部と、を備え、前記扉部の表面に映像表示装置が取り付けられていることを特徴とする。
【００１３】
この構成により、建物内の壁面に収納本体が固定されるため、地震などの発生による壁面収納装置の転倒を防止できる。また、建物内の壁面に収納本体が固定されており、扉部が収納本体の表側に取り付けられていることから、収納本体の収納スペースが制限されないため、広い収納スペースが確保できる。
【００１４】
また、映像表示装置の配線を収納本体内に収納すれば、映像表示装置の配線の露出を防止できる。また、扉部を回動させることにより、その扉部の裏側に回り込んで映像表示装置の配線を容易に行うことができる。さらに、扉部の回動に伴い、扉部の表面に取り付けられた映像表示装置が回動するため、映像表示装置の視聴できる方向を容易に変化させることができ、快適に映像表示装置の視聴ができる。
【００１５】
以上より、地震などの発生による壁面収納装置の転倒を防止しながら、広い収納スペースを確保し、映像表示装置の配線の露出防止及び容易化を図りつつ、快適に映像表示装置の視聴ができることになる。
【００１６】
具体的には、第２の発明では、第１の発明において、前記扉部は、前記映像表示装置を扉部の外表面に取り付け可能な取付部を有することを特徴とする。
【００１７】
これにより、扉部に映像表示装置を容易に取り付けるこができる。
【００１８】
第３の発明では、第１又は第２の発明において、前記映像表示装置の配線が前記収納本体内に収納可能であることを特徴とする。
【００１９】
これにより、映像表示装置の配線の露出を確実に防止することができる。
【００２０】
第４の発明では、第１〜第３の発明のいずれか１つにおいて、前記収納本体は、接着剤又は締結部材の少なくとも一方により壁面に固定されていることを特徴とする。
【００２１】
この構成により、接着剤又は締結部材の少なくとも一方により収納本体を壁面に固定することができ、壁面収納装置を確実に壁面に固定することができる。
【００２２】
また、接着剤のみでも壁面収納装置を壁面に固定することができ、コンクリート等の締結部材により固定しにくい素材の壁面に対しても壁面収納装置を固定することができる。
【００２３】
第５の発明では、第２〜第４の発明のいずれか１つにおいて、前記扉部の取付部は、前記映像表示装置を壁面に取り付けるために用いられる壁面設置部材を取付可能であることを特徴とする。
【００２４】
この構成により、壁面設置部材の形状に応じた取付部を扉部に形成することにより、映像表示装置を扉部に取り付けることができる。これにより、映像表示装置に適した壁面設置部材をそのまま用いて映像表示装置を扉部に取り付けることができる。
【００２５】
第６の発明では、第１〜第５の発明のいずれか１つにおいて、前記扉部には、前記映像表示装置の配線を前記収納本体内に引き込み可能な配線引込口が形成されていることを特徴とする。
【００２６】
この構成により、配線引込口を介して映像表示装置の配線を収納本体内に引き込むことができる。これにより、簡易な構成で映像表示装置の配線を収納本体内に引き込むことができる。
【００２７】
第７の発明では、第１〜第６の発明のいずれか１つにおいて、前記扉部には、前記映像表示装置に接続される接続機器を収納可能な機器収納部が形成されていることを特徴とする。
【００２８】
この構成により、扉部が回動しても接続機器と映像表示装置との相対位置が変化しないため、接続機器と映像表示装置との間の配線の位置が変化しない。これにより、回動する扉部に映像表示装置が取り付けられていても、接続機器と映像表示装置との間の配線が損傷しにくくなる。
【００２９】
第８の発明では、第６の発明において、前記収納本体の内部には、前記映像表示装置に接続される接続機器を収納可能な機器収納部が形成され、前記配線引込口は、前記扉部の回動軸側の端部に形成されていることを特徴とする。
【００３０】
この構成により、扉部を回動させたときの配線引込口の移動距離を抑えることができるため、扉部の回動に伴う接続機器と配線引込口との間の距離の変化を抑えることができる。これにより、回動する扉部に映像表示装置が取り付けられているにも拘わらず、接続機器と映像表示装置との間の配線が損傷しにくくなる。
【００３１】
第９の発明では、第１〜第８の発明のいずれか１つにおいて、前記映像表示装置は薄型テレビであることを特徴とする。
【００３２】
これにより、薄型テレビを壁面収納装置に設置することができる。
【発明の効果】
【００３３】
以上説明したように、本発明によれば、地震などの発生による壁面収納装置の転倒を防止しながら、広い収納スペースを確保し、映像表示装置の配線の露出防止及び容易化を図りつつ、快適に映像表示装置の視聴ができるようになる。
【図面の簡単な説明】
【００３４】
【図１】図１は、本発明の実施形態１に係る壁面収納装置の斜視図である。
【図２】図２は、壁面収納装置の扉部を開放したときの斜視図である。
【図３】図３は、壁面収納装置の水平断面図である。
【図４】図４は、壁面収納装置の全体構造を示す垂直断面図である。
【図５】図５は、壁面設置部材の取付ブラケットの斜視図である。
【図６】図６は、壁面設置部材のアーム本体の斜視図である。
【図７】図７は、実施形態２に係る壁面収納装置の斜視図である。
【発明を実施するための形態】
【００３５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３６】
（実施形態１）
図１〜図４は、本発明の実施形態１に係る壁面収納装置１を示す。この壁面収納装置１は、例えば、映像表示装置としての薄型テレビＴを壁掛け状態で設置する際に用いられ、建物内の壁面２に固定されるものである。壁面収納装置１は、建物内の壁面２及び床面３に固定されている。
【００３７】
壁面収納装置１は、縦長の矩形箱状の収納本体５と、この収納本体５に丁番１５を介して取り付けられている扉部１６とを備える。尚、本実施形態では、便宜上、壁面２に対し接離する方向を表裏方向といい、この表裏方向の壁面２に近い側を裏側（図３では上側、図４では右側）、その反対で壁面から遠い側を表側（図３では下側、図４では左側）という。また、壁面２に向かって左右方向を左右方向という。
【００３８】
収納本体５は縦長で薄型の矩形箱状に形成され、建物内のフラットな壁面２に４枚の施工桟６，６，…により、下端部が床面３に載置された状態で固定され、表側に開放された開口部１３を有する。具体的に、収納本体５は、左右方向に細長い底板７及び上板８と、上下方向に細長い左側板９及び右側板１０と、背板１１と、３枚の棚板１２とを備え、これらは板状の木質パネルである。このような木質パネルとして、例えば、１２〜１８ｍｍ厚の合板、パーティクルボード、オリエンテッドストランドボード（ＯＳＢ）、中密度繊維板（ＭＤＦ）などが用いられる。
【００３９】
収納本体５を壁面２に固定するための施工桟６，６，…は、いずれも略同じ形状の肉厚の木製板材からなり、長手方向が左右方向に延び、且つ、厚さ方向が表裏方向に延びるように、裏面が壁面２に固定されている。また、施工桟６，６，…は、隣接する他の施工桟６と上下方向に所定の間隔を空けて壁面２に配置されている。
【００４０】
底板７は、長手方向が施工桟６，６，…の長手方向と略同じ長さになるように形成されている。また、底板７は、左右方向に延びる厚肉板材であり、裏面が壁面２に下面が床面３にそれぞれ当接した状態で固定されている。この底板７は、４枚の施工桟６，６，…のうちの最下段の施工桟６よりも下側に配置され、図略の締結手段により、最下段の施工桟６と締結されて固定されている。
【００４１】
上板８は、底板７と略同じ形状に形成された左右方向に延びる厚肉板材であり、裏面が壁面２に当接した状態で固定されている。この上板８は、最上段の施工桟６よりも上側に配置され、図略の締結手段により、最上段の施工桟６と締結されて固定されている。
【００４２】
左側板９と右側板１０とは、互いに略同じ形状に形成された上下方向に延びる厚肉板材からなり、裏面がそれぞれ壁面２に当接した状態で固定されている。また、左側板９と右側板１０とは、図略の締結手段により、内面が施工桟６，６，…、底板７及び上板８の左右端面に、それぞれ締結されて固定されている。
【００４３】
背板１１は、底板７と上板８と左側板９と右側板１０とで構成される枠体の裏側の開口部内と略同じ形状に形成された薄肉の板材からなり、裏面で施工桟６，６，…を覆うように固定されている。
【００４４】
棚板１２，１２，…は、左右方向に細長い板材からなり、長手方向が施工桟６，６，…の長手方向と略同じ長さに形成され、図略の締結部材を介して左側板９と右側板１０とに固定されている。尚、棚板１２は、その高さ位置をダボによって変更可能な構造することもできる。
【００４５】
以上の構成により、収納本体５は、底板７と上板８と左側板９と右側板１０と背板１１とにより箱状に構成され、内部に収納スペースが形成されている。また、収納本体５は、裏側を施工桟６，６，…及び背板１１により閉塞される一方、表側には開口部１３が形成され、収納本体５にその表側から収納を行うようになっている。
【００４６】
また、施工桟６，６，…、底板７、上板８、左側板９及び右側板１０は、接着剤により壁面２及び床面３に固着されている。施工桟６等の固着に用いられる接着剤は、ビスなしで施工桟６等を壁面２等に固着できるような接着力の強力なもので、本実施形態においては、変性シリコン系の接着剤が用いられる。勿論、接着剤はこれに限られず、例えば、ウレタン系、エポキシ系、或いは、アクリル系の接着剤の使用も可能であるが、必要な養生時間を考えると、変性シリコン系の接着剤が最適である。なお、施工桟６等の壁面２等への固着は、接着剤のみで行うようにしてもよいし、両面テープや面ファスナーといった固着手段を併用するようにしてもよい。
【００４７】
また、壁面２及び床面３は、コンクリートや石膏ボード等で形成されており、施工桟６等はコンクリートや石膏ボードの素面が剥き出しになっている部分に固着される。また、壁面２及び床面３に表面化粧材が貼り付けられている場合には、少なくとも施工桟６等の施工部位の表面化粧材を取り除いた上で、施工桟６等は壁面２等に設置される。
【００４８】
以上より、底板７、上板８、左側板９、右側板１０及び背板１１を有する収納本体５は、施工桟６，６，…を介して接着剤により壁面２に固着されていることとなる。
【００４９】
丁番１５，１５，…は、扉部１６を収納本体５に対して回動可能に連結するために取り付けられる金具である。具体的には、上下複数の丁番１５が、左側板９の内面の表側端部と扉部１６の裏面の左側端部とを連結するように左側板９及び扉部１６に取り付けられている。また、丁番１５，１５，…は、それぞれの回動軸が上下方向に一致するように左側板９及び扉部１６に取り付けられている。
【００５０】
扉部１６は、厚肉板状の木質パネルである。この扉部１６は、収納本体５に丁番１５の回動軸回りに回動可能に取り付けられており、収納本体５の開口部１３を開閉する。また、扉部１６は、収納本体５の開口部１３よりもやや大きなサイズに形成されており、閉状態のときに開口部１３の全てを覆うように収納本体５に取り付けられている。
【００５１】
また、本発明の特徴として、扉部１６の表側には、薄型テレビＴが取り付けられている。具体的には、扉部１６には、薄型テレビＴを扉部１６の外表面に取り付け可能な取付部１７と、配線引込口１８と、機器収納部１９とが形成されている。
【００５２】
取付部１７には、扉部１６に形成された木ネジ穴１７ａ，１７ａが含まれる。この木ネジ穴１７ａ，１７ａは、扉部１６の表面から裏側に向かって形成されている小さな穴である。木ネジ穴１７ａ，１７ａは、例えば、扉部１６の中央部に、上下方向に一列に並んで形成される。
【００５３】
配線引込口１８は、扉部１６を表裏方向に貫通するように形成された貫通孔である。この配線引込口１８は、扉部１６に取り付けられる薄型テレビＴの配線Ｔａ（複数本を束ねたものも含む）を収納本体５に引き込み可能とするためのもので、配線Ｔａの外径よりも大きくなるように形成されている。また、配線引込口１８は、壁面収納装置１の前側から見たときに、薄型テレビＴに隠れるように取付部１７の下側に形成されている。また、配線引込口１８は、薄型テレビＴが扉部１６に取り付けられたときに、薄型テレビＴと薄型テレビＴの裏面から延びる配線Ｔａとの接続位置に表裏方向において略同じ位置となるように形成されている。
【００５４】
機器収納部１９は、配線引込口１８の下側において扉部１６を表裏方向に貫通するように設けられた矩形の箱状体である。この機器収納部１９は、表側に開放され裏側が閉塞された有底角筒状のもので、機器収納部１９には、薄型テレビＴに接続可能な少なくとも１つ（図示例では２つ）の接続機器Ｒを収納するようにしている。このような接続機器Ｒとして、例えば、薄型テレビＴから映像及び音声信号を受信してハードディスク、ＤＶＤ等の記録媒体に記録したり、ハードディスク、ＤＶＤ等の記録媒体から映像及び音声情報を読み出して、読み出した情報に応じた信号を薄型テレビＴに送信したりする録画再生装置（レコーダー）、衛星チューナー等が挙げられる。また、機器収納部１９において、扉部１６の裏側に位置する部分の上壁部には、上下方向に貫通する挿通孔１９ａが形成されている。この挿通孔１９ａの開口径は、配線Ｔａの外周よりも大径に形成されている。
【００５５】
次に、図５及び図６を参照しつつ、取付部１７に取り付けられる壁面設置部材２１を説明する。壁面設置部材２１は、薄型テレビＴを壁面に取り付けるために用いられる金具である。この壁面設置部材２１は、取付ブラケット２２とアーム本体２３とを有する。
【００５６】
取付ブラケット２２は、取付部１７に取り付け可能な金具である。具体的には、取付ブラケット２２は、上部ないし表側の左右中央部が開放された係合凹部２２ａを有する箱状のもので、この取付ブラケットの背壁部２２ｂの中央部には、表裏方向に貫通する２つのネジ挿通孔２２ｃ，２２ｃが上下方向に並んで形成されている。このネジ挿通孔２２ｃ，２２ｃは、壁面収納装置１の扉部１６における取付部１７の木ネジ穴１７ａ，１７ａに対応する位置に形成されている。ネジ挿通孔２２ｃに挿通した木ネジ２２ｄを木ネジ穴１７ａにねじ込むことで、取付ブラケット２２を扉部１６に締結可能である。このため、木ネジ２２ｄ，２２ｄにより、取付部１７に取付ブラケット２２を締結するようになっている。
【００５７】
一方、アーム本体２３は、薄型テレビＴの背面部に取り付け可能な金具である。アーム本体２３は、取付ブラケット２２の係合凹部２２ａに嵌合可能な嵌合部２４と、嵌合部２４に一体的に溶接等により結合された薄型テレビ取付部２５とを有する。嵌合部２４は、矩形状の平板を左右中央部２４ａが表側に突出するように折れ曲げ形状に形成され、その左右両端部２４ｂ，２４ｂが取付ブラケット２２の係合凹部２２ａに上側から嵌合可能である。薄型テレビ取付部２５は、上下方向に延びる左右２つの板状部２５ａ，２５ａと、これら２つの板状部２５ａ，２５ａの上下中間部同士を一体に連結する連結部２５ｂとを有する。連結部２５ｂの裏面と、嵌合部２４の中央部２４ａの表面とは、図略の溶接やリベットにより連結一体化されている。
【００５８】
また、各板状部２５ａには、上下方向両端部を表裏方向に貫通するネジ挿通孔２５ｃ，２５ｃが形成されている。これら４つのネジ挿通孔２５ｃ，２５ｃ，…は、薄型テレビＴの裏面に形成された図略の４つのネジ穴と対応する位置に形成されており、板状部２５ａ，２５ａと薄型テレビＴの背面のネジ穴とはネジ２５ｄ，２５ｄにより締結可能である。このため、薄型テレビＴとアーム本体２３とは、ネジ２５ｄ，２５ｄにより締結することができるようになっている。
【００５９】
次に、薄型テレビＴを扉部１６に取り付ける手順について説明する。取付ブラケット２２のネジ挿通孔２２ｃ，２２ｃと、扉部１６の取付部１７の木ネジ穴１７ａ，１７ａとの位置を合わせて、木ネジ２２ｄ，２２ｄにより扉部１６に取付ブラケット２２を固定する。また、薄型テレビＴの裏面のネジ穴と、アーム本体２３の板状部２５ａ，２５ａのネジ挿通孔２５ｃ，２５ｃとを位置合わせして、ネジ２５ｄ，２５ｄにより薄型テレビＴをアーム本体２３に固定する。そして、アーム本体２３の嵌合部２４を取付ブラケット２２の係合凹部２２ａにその上側から下側に向けて挿入して、嵌合部２４を係合凹部２２ａに嵌合する。これにより、薄型テレビＴは、扉部１６に固定された状態で取り付けられる。
【００６０】
このとき、薄型テレビＴは、扉部１６にのみ固定されることから、扉部１６の回動に伴って回動することとなる。このため、扉部１６を回動させることにより、薄型テレビＴを視聴する方向を変化させることが可能となる。
【００６１】
次に、薄型テレビＴと接続機器Ｒとの配線手順について説明する。上記のようにして薄型テレビＴを扉部１６に取り付けた状態で、扉部１６を開き方向に回動させると、収納本体５の開口部１３が開放される。そして、薄型テレビＴの配線Ｔａを配線引込口１８を介して扉部１６の表側から裏側へ引き出す。そして、この薄型テレビＴの配線Ｔａの他端部を機器収納部１９内にその挿通孔１９ａを介して引き込んで、機器収納部１９内に収納された接続機器Ｒに接続する。その後、扉部１６を回動させて、収納本体５の開口部１３を元どおりに閉塞すればよい。
【００６２】
このとき、扉部１６を回動させることにより、ユーザーは扉部１６の裏側に回り込んで薄型テレビＴの配線作業を行うことができるため、薄型テレビＴの配線を容易に行うことができる。
【００６３】
また、薄型テレビＴの配線Ｔａの一部は、配線引込口１８を介して収納本体５内に収納され、残りの部分は、壁面収納装置１の表側から見たときに薄型テレビＴの裏側に配置される。このため、壁面収納装置１により、設置された薄型テレビＴの配線Ｔａを隠すようにしている。
【００６４】
本実施形態では、このような構成により、壁面収納装置１の収納本体５が壁面２及び床面３に接着剤で固定されるため、扉部１６に薄型テレビＴが取り付けられていたとしても、地震などの発生による壁面収納装置１の転倒を防止できる。
【００６５】
しかも、収納本体５が、接着剤により壁面２及び床面３に固定されることで、壁面収納装置１を確実に壁面２及び床面３に固定することができる。また、ビズ等の締結部材により固定できない材質（例えば、コンクリート等）の壁面及び床面に対しても、壁面収納装置１を固定することができる。
【００６６】
また、建物内の壁面２及び床面３に収納本体５が固定されており、扉部１６が収納本体５の表側に取り付けられていることから、収納本体５の収納スペースは薄型テレビＴによって制限されず、広い収納スペースが確保できる。
【００６７】
また、薄型テレビＴの配線Ｔａの一部は、配線引込口１８を介して収納本体５内に収納され、配線Ｔａの残りの部分は、壁面収納装置１の表側から見たときに、薄型テレビＴの裏側に配置される。これにより、薄型テレビＴの配線Ｔａの露出を防止して、見映えを良くすることができる。
【００６８】
また、扉部１６を回動させることにより扉部１６の裏側にて配線作業を行うことができるため、薄型テレビＴの配線作業を容易に行うことができる。
【００６９】
また、扉部１６の回動に伴い、扉部１６に取り付けられた薄型テレビＴが回動するため、薄型テレビＴの視聴できる方向を容易に変化させることができ、室内のどこからでも薄型テレビＴが見えるようになり、快適に薄型テレビＴの視聴ができる。
【００７０】
また、壁面設置部材２１の取付ブラケット２２の木ネジ２２ｄ，２２ｄ，…の形状に応じた取付部１７を扉部１６に形成しておくことにより、薄型テレビＴを扉部１６に容易に取り付けることができる。
【００７１】
また、扉部１６には、薄型テレビＴの配線Ｔａを収納本体５内に引き込み可能な配線引込口１８が形成されているため、簡易な構成で薄型テレビＴの配線Ｔａを収納本体５内に容易に引き込むことができる。
【００７２】
また、扉部１６には、薄型テレビＴに接続される接続機器Ｒを収納可能な機器収納部１９が一体的に形成されている。このため、扉部１６が回動しても接続機器Ｒと薄型テレビＴとの相対位置が変化せず、接続機器Ｒと薄型テレビＴとの間の配線Ｔａの位置が変化しないことから、接続機器Ｒと薄型テレビＴとの間の配線が損傷しにくくなる。
【００７３】
（実施形態２）
次に、図７において、実施形態２に係る壁面収納装置１について説明する。尚、前記実施形態１と同じ部分については、同じ符号を付して、その詳細な説明は省略する。
【００７４】
実施形態１では、扉部１６が収納本体５の開口部１３を閉塞した場合に、扉部１６は開口部１３の全てを覆うようになっているのに対し、実施形態２では、扉部１６が開口部１３の一部のみを覆う点で異なる。また、実施形態１と実施形態２とでは、配線引込口１８及び機器収納部１９の位置が異なる。
【００７５】
具体的には、扉部１６は、収納本体５の開口部１３よりも小さく、その開口部１３を閉塞した場合に、開口部１３の上側のみを覆い、開口部１３の下端側が常時開放された状態となるように形成されている。
【００７６】
また、収納本体５内には、その下部に上下２枚の棚板１２，１２が、扉部１６によっても覆われない開口部１３下端部と対応するように設置され、これらの棚板１２，１２の間に機器収納部１９が形成されている。また、上側の棚板１２の前部で丁番１５側である左端部に挿通孔１９ａが上下方向に貫通するように形成されている。
【００７７】
また、配線引込口１８は、扉部１６の左側（丁番１５側）の端部に形成されている。
【００７８】
この構成により、扉部１６を回動させたときに、収納本体５内の接続機器Ｒと、扉部１６表側の薄型テレビＴとを接続する配線Ｔａが彎曲変化するが、扉部１６の回動に伴う配線引込口１８の移動距離を短い距離に抑えることができるため、扉部１６の回動に伴う接続機器Ｒと配線引込口１８との間の距離の変化を抑えることができる。これにより、接続機器Ｒと薄型テレビＴとの間の配線Ｔａが損傷しにくくなる利点がある。
【００７９】
（その他の実施形態）
尚、前記各実施形態では、収納本体５を接着剤で壁面２及び床面３に固定しているが、これに限られず、ビス等により壁面２及び床面３に固定してもよい。また、接着剤及びビスの双方により固定してもよい。
【００８０】
また、前記各実施形態では、壁面２に設置される施工桟６を４枚としているが、これに限られず、施工桟６の数を変更してもよく、複数枚であればよい。また、施工桟６，６間に上下方向に延びる補強部材を壁面２に固定して設置してもよい。
【００８１】
また、前記各実施形態では、底板７を床面３に固定しているが、底板７は床面３と固定しなくてもよい。また、底板７を床面３から離して、壁面収納装置１をフロート状態にしてもよい。
【００８２】
また、前記各実施形態では、薄型テレビＴが扉部１６に取り付けられているが、これに限られず、ディスプレイ等の映像表示装置を扉部１６に取り付けてもよい。
【００８３】
また、前記各実施形態では、木ネジ穴１７ａに木ネジ２２ｄをねじ込むことで、壁面設置部材２１を扉部１６に固定していたが、木ネジ穴１７ａを扉部１６の表裏方向に貫通するボルト挿通孔に変えてもよい。この場合、ボルト挿通孔にボルトを挿通して扉部１６裏側へ突出したボルトをナットで止めることとなる。
【００８４】
また、前記各実施形態では、丁番１５が左側板９の内面の表側端部と扉部１６の裏面の左側端部とを連結して、扉部１６を左開きとしていたが、これに限られず、丁番１５が右側板１０の内面の表側端部と扉部１６の裏面の右側端部とを連結して、扉部１６を右開きとしてもよいのは言うまでもない。
【産業上の利用可能性】
【００８５】
本発明は、映像表示装置を壁掛け状態で取り付け可能な壁面収納装置に適用することができる。
【符号の説明】
【００８６】
Ｔ  薄型テレビ（映像表示装置）
Ｔａ  配線
Ｒ  精密機器
１  壁面収納装置
５  収納本体
１５  丁番（回動軸）
１６  扉部
１７  取付部
１８  配線引込口
１９  機器収納部
２１  壁面設置部材
【図１】
2020043946.tif 000003
【図２】
2020043946.tif 000004
【図３】
2020043946.tif 000005
【図４】
2020043946.tif 000006
【図５】
2020043946.tif 000007
【図６】
2020043946.tif 000008
【図７】
2020043946.tif 000009